(57)【要約】【課題】  制御リストを自動更新し、更新した制御リストに基づき記録されているコンテンツを検索し、コンテンツを管理する。【解決手段】  ＤＳＣ２は、撮像装置２０と、圧縮伸長エンジン１９，ＣＰＵ２１，ＲＯＭ２２，ＲＡＭ２３，画像記録部２４，ファイル管理部２５，外部Ｉ／Ｆ２６を備えている。ＣＰＵ２１は、参照元が存在しないアルバム用制御リストや参照元が存在しないコンテンツがあった場合、アルバム作成中であることをユーザに告知するため、液晶表示部４にアルバム作成中表示を表示させ、そのアルバム制御リストやコンテンツの実際のファイルパスを、マスタの制御リスト及びアルバム制御リストヘ書き出し、追加する。【選択図】  図２
2005286418.tif 000002
【特許請求の範囲】
【請求項１】
制御リストを通じて画像データ・音声データ・動画データ等のコンテンツデータを記録再生するデータ記録再生装置において、
全ての前記制御リストと前記コンテンツデータが参照されるよう前記制御リストを作成する作成手段と、
前記制御リストあるいは前記コンテンツデータを記録する記録媒体と、
前記記録媒体内の前記制御リストあるいは前記コンテンツデータを検索する検索手段と、
前記制御リスト間、あるいは前記制御リストと前記コンテンツデータ間の参照・被参照関係を検証する検証手段と、
前記制御リストと前記コンテンツデータが参照されるよう前記制御リストを更新する更新手段と
を備えたことを特徴とするデータ記録再生装置。
【請求項２】
制御リストを通じて画像データ・音声データ・動画データ等のコンテンツデータを記録再生するデータ記録再生方法において、
全ての前記制御リストと前記コンテンツデータが参照されるよう前記制御リストを作成する作成工程と、
記録媒体内の記録されている前記制御リストあるいは前記コンテンツデータを検索する検索工程と、
前記制御リスト間、あるいは前記制御リストと前記コンテンツデータ間の参照・被参照関係を検証する検証工程と、
前記制御リストと前記コンテンツデータが参照されるよう前記制御リストを更新する更新工程と
を備えたことを特徴とするデータ記録再生方法。
【請求項３】
前記作成工程は、前記コンテンツデータを裏付ける要素単位で新規にアルバム用のリストを作成し、参照元が存在しない前記コンテンツデータをその要素単位で前記制御リストに追加する
ことを特徴とする請求項２に記載のデータ記録再生方法。
【発明の詳細な説明】
【技術分野】
【０００１】
本発明は、制御リストを通じて画像・音声・動画等のコンテンツを記録再生するデータ記録再生装置に関する。
【背景技術】
【０００２】
従来のＤＳＣ（デジタルスキャンカメラ）等のファイル管理では、例えば特開２００２−１９９３３４号公報のように、従来のファイル管理構造に対して影響せずに、任意のカテゴリ毎に制御リストを特定のフォルダ内に作成し、制御リスト毎にアルバムのような概念でファイルを扱っていた。
【０００３】
また、公知の技術として、親制御リストと子制御リスト、さらには孫制御リストのように、階層を持ってリンクする構造がある。例えばアルバムについては、マスタの制御リストはアルバム用の制御リストヘのリンクを記述し、アルバム用の制御リストはそれぞれの画像へのリンクを記述しており、制御リストから画像を再生することができる。
【特許文献１】特開２００２−１９９３３４号公報
【発明の開示】
【発明が解決しようとする課題】
【０００４】
しかしながら、前記特開２００２−１９９３３４号公報等では、制御リストが存在しない場合には、コンテンツの所在が未定義状態、例えばアルバム名や表紙などがない、またはデフォルトのものが適用された状態となり、画像の表示ができなくなるといった問題がある。
【０００５】
本発明は、上記事情に鑑みてなされたものであり、制御リストを自動更新し、更新した制御リストに基づき記録されているコンテンツを検索し、コンテンツを管理することのできるデータ記録再生装置を提供することを目的としている。
【課題を解決するための手段】
【０００６】
本発明のデータ記録再生装置は、制御リストを通じて画像データ・音声データ・動画データ等のコンテンツデータを記録再生するデータ記録再生装置において、全ての前記制御リストと前記コンテンツデータが参照されるよう前記制御リストを作成する作成手段と、前記制御リストあるいは前記コンテンツデータを記録する記録媒体と、前記記録媒体内の前記制御リストあるいは前記コンテンツデータを検索する検索手段と、前記制御リスト間、あるいは前記制御リストと前記コンテンツデータ間の参照・被参照関係を検証する検証手段と、前記制御リストと前記コンテンツデータが参照されるよう前記制御リストを更新する更新手段とを備えて構成される。
【発明の効果】
【０００７】
本発明によれば、制御リストを自動更新し、更新した制御リストに基づき記録されているコンテンツを検索し、コンテンツを管理することができるという効果がある。
【発明を実施するための最良の形態】
【０００８】
以下、図面を参照しながら本発明の実施例について述べる。
【実施例１】
【０００９】
図１ないし図３８は本発明の実施例１に係わり、図１はＤＳＣの背面構成を示す外観図、図２はＤＳＣの構成を示すブロック図、図３は画像・音声・動画等のコンテンツ及び制御リストファイルからなるフォルダ構成を示す図、図４はマスタの制御リストとアルバム用制御リストの関係を示す図、図５は制御リストが存在しないフォルダ構成を示す図、図６はアルバムの作成手順の第１手順を示すフローチャート、図７はアルバムの作成中に液晶表示部に表示される表示例を示す図、図８はアルバムの作成手順の第１手順の変形例を示すフローチャート、図９はアルバムの作成手順の第２手順を示すフローチャート、図１０はアルバムの作成手順の第２手順の変形例を示すフローチャート、図１１は図６、図９の処理の結果作成されたフォルダ構成を示す図、図１２は図６、図９の処理の結果作成されたアルバム構成を示す図、図１３はフォルダ構成内のコンテンツについての格納フォルダ、作成・更新日、作成メーカー機種、ファイルフォーマット、品質、モードといった各要素を示す図、図１４は各コンテンツの一つ上の階層のフォルダで分類して制御リストを自動作成した際のフォルダ構成を示す図、図１５は各コンテンツの一つ上の階層のフォルダで分類して制御リストを自動作成した際のアルバム構成を示す図、図１６はコンテンツ作成およびコンテンツ最終更新日時を用い制御リストを自動作成した際のフォルダ構成を示す図、図１７はコンテンツ作成およびコンテンツ最終更新日時を用い制御リストを自動作成した際のアルバム構成を示す図、図１８はコンテンツを撮影した装置のメーカあるいは装置名を用い制御リストを自動作成した際のフォルダ構成を示す図、図１９はコンテンツを撮影した装置のメーカあるいは装置名を用い制御リストを自動作成した際のアルバム構成を示す図、図２０はファイルフォーマットを用い制御リストを自動作成した際のフォルダ構成を示す図、図２１はファイルフォーマットを用い制御リストを自動作成した際のアルバム構成を示す図、図２２はコンテンツの撮影や編集時の品質を用い制御リストを自動作成した際のフォルダ構成を示す図、図２３はコンテンツの撮影や編集時の品質を用い制御リストを自動作成した際のアルバム構成を示す図、図２４はコンテンツの撮影モードを用い制御リストを自動作成した際のフォルダ構成を示す図、図２５はコンテンツの撮影モードを用い制御リストを自動作成した際のアルバム構成を示す図、図２６は図３で示したフォルダ構成からアルバム用制御リストが消失してしまった状態を示すフォルダ構成を示す図、図２７は図３で示したフォルダ構成からアルバム用制御リストが消失してしまった状態を示すアルバム構成を示す図、図２８は消失したアルバム用制御リストを作成した結果のフォルダ構成を示す図、図２９は消失したアルバム用制御リストを作成した結果のアルバム構造を示す図、図３０はファイルフォーマットを用い参照元が存在しないコンテンツ用に制御リストを自動作成した際のフォルダ構成を示す図、図３１はファイルフォーマットを用い参照元が存在しないコンテンツ用に制御リストを自動作成した際のアルバム構成を示す図、図３２はアルバムの作成中に液晶表示部に表示される表示例の第１の変形例を示す図、図３３はアルバムの作成中に液晶表示部に表示される表示例の第２の変形例を示す第１の図、図３４はアルバムの作成中に液晶表示部に表示される表示例の第２の変形例を示す第２の図、図３５はアルバムの作成中に液晶表示部に表示される表示例の第２の変形例を示す第３の図、図３６はデータ記録再生装置としてのＤＳＣ単体構成を示す図、図３７はデータ記録再生装置の第１の変形例構成を示す図、図３８はデータ記録再生装置の第２の変形例構成を示す図である。
【００１０】
図１に示すように、本実施例のデジタルスチルカメラ（以下、ＤＳＣ）２の背面には、被写体を撮影した画像を表示したり各種設定画面を表示する液晶表示部４と、被写体像を確認するファインダ５と、ＤＳＣ２の電源オン状態を示すパワーＬＥＤ６と、液晶表示部４に表示される各種設定画面上での操作データを入力する選択／決定ボタン９等とが設けられ、ＤＳＣ２の上部には、画像の撮像を指示するシャッタ１０と、ＤＳＣ２における撮影モード及び操作モード等のモードを選択するモード選択ダイヤル１１等が設けられている。
【００１１】
図２に示すように、ＤＳＣ２は、撮像装置２０と、圧縮伸長エンジン１９，ＣＰＵ２１，ＲＯＭ２２，ＲＡＭ２３，画像記録部２４，ファイル管理部２５，外部Ｉ／Ｆ２６を備え、ＲＯＭ２２に格納されている制御プログラムに従いＲＡＭ２３を用いてＣＰＵ２１が各種制御を行うようになっている。
【００１２】
圧縮伸長エンジン１９により撮像装置２０により被写体を撮影した画像データが圧縮されると、ＣＰＵ２１は、画像データを画像記録部２４に格納すると共に、該画像データを管理するためのファイル管理データをファイル管理部２５に格納する。
【００１３】
なお、画像記録部２４は、不揮発性メモリＥＥＰＲＯＭ等で構成され、電源オフ等でもデータは保持される。画像記録部２４は固定式のメモリでも交換可能型のメモリでもよい。
【００１４】
また、画像記録部２４は、スマートメディアを始めとする半導体メモリ、あるいは磁気メモリ、ハードデイスクなどの磁気ディスク、ＣＤなどの光ディスク、ＭＯなどの光磁気ディスク、上記の組み合わせ、などであってもよい。あるいは、画像記録部２４は単数である必要は無く、複数の記録媒体からなっていても構わない。
【００１５】
画像記録部２４に格納された複数の画像データは液晶表示部４に縮小されて表示ができ、選択／決定ボタン９を用いて所望の画像データを図示しないＰＣ（パーソナルコンピュータ）等に保存させることができるようになっている。
【００１６】
ＤＳＣ２においては、撮影時には、圧縮伸長エンジン１９は、ＣＰＵ２１からの指示によりＲＡＭ２３内の撮像データをＣＰＵ２１が指定するフォーマットの画像へと圧縮する。圧縮された画像は、ＣＰＵ２１からの指示によりファイル管理部２５を通して画像記録部２４に記録される。
【００１７】
再生時には、圧縮伸長エンジン１９は、ＣＰＵ２１からの指示により画像記録部２４内の画像を、記録されているフォーマットに従い伸長する。伸長された画像データは画像記録部２４に再生される。
【００１８】
図３は、ＤＳＣ２の画像記録部２４に格納された、画像・音声・動画等のコンテンツおよび制御リストファイルからなるフォルダ構成の例である。コンテンツの一部はDCIMフォルダ以下にDCF規格に従って格納されている。
【００１９】
一方、ＰＣからコピーされたコンテンツはDCF規格とは無関係に存在し、図１では例えば××旅行という名のフォルダ内に入っている。また、Album フォルダには、各アルバム用の制御リストが格納されている。各アルバム用制御リストとは別にマスタの制御リストが存在し、これはrootの下にalbum.lstとして存在する。
【００２０】
図４は、マスタの制御リストとアルバム用制御リストの関係を示した一例である。マスタの制御リスト内には、アルバム用制御リストのファイルの存在位置を示すファイルパスが記載されている。アルバム用制御リスト内には、画像・動画・音声などのコンテンツ、および他のアルバム用制御リストのファイルの存在位置を示すファイルパスが記載されている。
【００２１】
図３、図４を元に、ＤＳＣ２の再生時の動作を以下に説明する。ＤＳＣ２は、まず画像記録部２４内のroot直下に存在する、マスタの制御リストalbum.lstを開く。
【００２２】
マスタの制御リスト内には、アルバム用制御リストのファイルパスが、まず先頭に￥Album￥album001.lstと記載されている。これを取得したところで、そのファイルパス通りにalbum001.lstを開く。 album001.lst内には複数のコンテンツのファイルパスが記載されているため、album001.lstを一つのアルバムとして扱うことができる。
【００２３】
一つのアルバムに対して、そのアルバム内のコンテンツが保存されているフォルダは一つだけである必要は無く、例えばalbum002.lstは別々のフォルダに保存されているコンテンツから抜粋して作成されたものである。
【００２４】
また、album003.lstは、アルバムの中からさらに別のアルバムを参照するように作成されたものである。その場合、album003.lstから参照するアルバム用制御リストは、￥Album￥Album003というように、参照元のアルバム用制御リストのファイル名と共通する名前の、album003.lstと同じ階層にあるフォルダに格納される。
【００２５】
図５は、図３と同様のコンテンツを有するが、制御リストが全く存在しない場合である。このようなケースは、以下の（１）〜（４）のような場合に起こることが考えられ、制御リストが存在しないため、ＤＳＣ２はコンテンツの再生ができない状態となっている。
【００２６】
（１）制御リストを用いてコンテンツを再生するシステム以外から画像記録部２４を持ってきた場合。
【００２７】
（２）制御リストを用いてコンテンツを再生するシステム以外からコンテンツデータをコピーした場合。
【００２８】
（３）ユーザの誤操作や画像記録部２４の劣化・外部環境の影響などで、画像記録部２４内の制御リストに関する部分のみ削除されたり読むことができなくなった場合。
【００２９】
（４）ユーザの意思により制御リストの参照・被参照構造を初期化した場合。
【００３０】
図６は、アルバムの作成手順の第１手順を示したものである。まず図６のステップＳ１にて、ＤＳＣ２0内のＣＰＵ２１から、ファイル管理部２５を通して画像記録部２４のrootに対して、マスタ制御リストalbum.lstの検索を行う。 
album.lstが見つかった場合は、ステップＳ２にて、マスタ制御リスト内に記載されているアルバム用制御リストの各ファイルパスを取得し、ＲＡＭ２３に記憶させる。
【００３１】
album.lstが見つからなかった場合は、ステップＳ３にて、マスタ制御リストalbum.lstを、中身は空のまま画像記録部２４のrootに新規作成する。
【００３２】
ステップＳ４にて、画像記録部２４のAlbumフォルダ以下に対して、マスタ制御リスト以外の制御リストである＝アルバム用制御リストの検索を行う。検索でアルバム用制御リストが見つかると、自身がステップＳ２にてＲＡＭ２３に記憶したファイルパスと一致するかを確認し、また、他のアルバム用制御リスト内で参照されているかを確認する。
【００３３】
検索・確認の結果、ステップＳ５にて、全てのアルバム用制御リストが、マスタ制御リスト、または他のアルバム用制御リストから参照されているならば終了する。しかし、マスタ制御リスト、または他のアルバム用制御リストから参照されていないような、参照元が存在しないアルバム用制御リストがあった場合、ステップＳ６にて、アルバム作成中であることをユーザに告知するため、図７のように液晶表示部４にアルバム作成中表示１００を表示させる。 ステップＳ７にて、そのアルバム制御リストの実際のファイルパスを、マスタの制御リストヘ書き出し、追加する。ステップＳ８にて、液晶表示部４に表示されているアルバム作成中表示１００を消去する。
【００３４】
あるいは、ステップＳ５の結果、ステップＳ６にてアルバム作成中表示をさせた後、図８に示すように、ステップＳ７の代わりに、ステップＳ７ａにて、参照元が存在しないアルバム用制御リストが格納されているフォルダと共通する名前の制御リストが存在するか確認する。存在しない場合はステップＳ７ｂにて、そのフォルダと共通する名前のアルバム用制御リストを、参照元が存在しないアルバム用制御リストの一つ上の階層に空で作成する。その後ステップＳ７ｃにて、そのフォルダと共通する名前のアルバム用制御リストに、参照元が存在しないアルバム用制御リストのファイルパスを追加する。次にステップＳ８にて、液晶表示部４に表示されているアルバム作成中表示１００を消去する。
【００３５】
図６あるいは図８の作成手順の第１手順が終了すると、図９の第２手順に示すように、ステップＳ９にて、それぞれのアルバム用制御リスト内に記載されているコンテンツの各ファイルパスを取得し、ＲＡＭ２３に記憶させる。ステップＳ１０にて、画像記録部２４に対して、どの制御リストからも参照されていないコンテンツの検索を行う。検索は、コンテンツが見つかると自身がステップＳ９でＲＡＭ２３へ記憶したファイルパスと一致するかを確認することで行う。
【００３６】
検索・確認の結果、ステップＳ１１にて、全てのコンテンツが、アルバム用制御リストから参照されているならばアルバム作成終了となる。しかし、アルバム用制御リストから参照されていないような、参照元が存在しないコンテンツがあった場合、ステップＳ１２にて、アルバム作成中であることをユーザに告知するため、図７のように液晶表示部４にアルバム作成中表示１００を表示させる。 
ステップＳ１３ にて、アルバム用制御リストを格納するフォルダAlbumが存在するか確認をする。その結果、フォルダAlbumが存在しない場合のみ、ステップＳ１４にて、フォルダAlbumを作成する。その後ステップＳ１５にて、新規のアルバム用制御リストを空で作成する。そのアルバム用制御リストのファイル名については、既存のマスタ制御リストのファイル名、および既存のアルバム用制御リストのファイル名と異なる。 ステップＳ１６にて、それら参照元が存在しないコンテンツの実際のファイルパスを、ステップＳ１５で作成したアルバム用制御リストヘ書き出し、追加する。
【００３７】
あるいは、図１０に示すように、ステップＳ１５，１６の代わりに、ステップＳ１５ａにて、参照元が存在しないコンテンツを特徴付けている単位ごとに新規のアルバム用制御リストを空で作成する。 そして、ステップＳ１６ａにて、それらのコンテンツの実際のファイルパスを、ステップＳ３１で作成したアルバム用制御リストに、コンテンツを特徴付けている単位に従って分けて書き出し、追加する。
【００３８】
その後、ステップＳ１７にて、ステップＳ１５またはステップＳ１５ａで作成したアルバム用制御リストのファイルパスを、マスタ制御リストヘ書き出し、追加する。
【００３９】
次にステップＳ１８にて、アルバム作成中表示を消去し、アルバム自動作成手順が終了する。
【００４０】
図５の状態で、図６のフローに従うと、ステップＳ１でマスタ制御リストが見つからず、ステップＳ３で￥album.lstを新規作成する。 ステップＳ４，Ｓ５ではアルバム用制御リストは存在しないため何も見つからず、図６のフローは終了する。
【００４１】
図９のフローでは、やはりアルバム用制御リストが存在しないため、ステップＳ９は実質何もしない。 ステップＳ１０，Ｓ１１の結果、全てのコンテンツについて、参照元が存在しないということになる。 ステップＳ１３の結果、アルバム用制御リストのフォルダが存在しないため、ステップＳ１４でフォルダAlbumを新規に作成することになる。
【００４２】
その後、ステップＳ１５にて例えば￥Album￥album001.lstを新規作成する。 ステップＳ１６にて、album001.lstへ、全てのコンテンツのファイルパスを書き込む。 ステップＳ１７で、album.lstへ￥Album￥album001.lstを追加する。
【００４３】
図１１及び図１２が、図５の状態から図６、図９のフローの結果作成されたフォルダ構成およびアルバム構成である。
【００４４】
図１３は、図５のフォルダ構成内のコンテンツについて、格納フォルダ、作成・更新日、作成メーカー機種、ファイルフォーマット、品質、モードといった各要素を示した例である。
【００４５】
格納フォルダは、それぞれのコンテンツを格納している、コンテンツから見れば一つ上の階層のフォルダである。作成・更新日は、コンテンツが作成、または最終的に更新された日時である。作成メーカ・機種は、コンテンツを撮影した装置のメーカや機種名を示したものである。ファイルフォーマットは、それぞれのコンテンツの形式である。品質は、コンテンツを作成・編集したときの品質である。モードは、例えばデジタルカメラの場合、撮影を単写、速写、パノラマいずれで行ったかという情報である。
【００４６】
これらの要素は、例えばExif形式で保存されている画像のように、ファイル内に記述されているものを利用してもよい。あるいは、各ファイル名やそのプロパティを利用してもよい。
【００４７】
図５からの作成において、コンテンツを特徴付けている種類に従い、それぞれアルバム用制御リストを作成することも可能である。例えば、コンテンツを特徴付けるものとして、コンテンツが格納されているフォルダ単位でアルバム用制御リストを自動作成する。 
図１０のフローに従って、ステップＳ１４までは上述の場合と同様で、ステップＳ１５ａにて、￥DCIM￥100OLYMP以下にあるコンテンツ用として、例えば￥Album￥album001.lstを新規作成し、￥DCIM￥101OLYMP以下にあるコンテンツ用として、例えば￥Album￥album002.lstを新規作成し、同様に￥××旅行以下のコンテンツ用や、他のフォルダ以下のコンテンツ用に、アルバム用制御ファイルを作成する。
【００４８】
ステップＳ１６ａにて、￥DCIM￥100OLYMP以下にあるコンテンツは、各々のファイルパスをalbum001.lstへ書き出し、￥DCIM￥101OLYMP以下にあるコンテンツは、各々のファイルパスをalbum002.lstへ書き出すというように、各フォルダ以下のコンテンツ用に作成したアルバム用制御リストに、各フォルダ以下のコンテンツのファイルパスを書き出し、追加する。このようにして図５の状態から修正されたフォルダ構成およびアルバム構成が、図１４及び図１５である。
【００４９】
なお、図１４及び図１５の例では、各コンテンツの一つ上の階層のフォルダで分類してアルバム用制御リストを作成したが、より上の階層のフォルダで分類してアルバム用制御リストを作成しても構わない。
【００５０】
図１６及び図１７は、コンテンツを特徴付ける要素としてコンテンツ作成およびコンテンツ最終更新日時を用い、制御リストを自動作成した際のフォルダ構成およびアルバム構成である。 
ステップＳ１５ａ にて、例えば2003/01/11に作成または最終更新したコンテンツ用として、￥Album￥album001.lstを新規作成し、2003/04/01に作成または最終更新されたコンテンツ用として、￥Album￥album002.lstを新規作成し、同様に2003/08/13作成のコンテンツ用や、他の日時のコンテンツ用に、アルバム用制御リストを作成する。 ステップＳ１６ａにて、2003/01/11に作成または最終更新されたコンテンツは、各々のファイルパスをalbum001.lstへ書き出し、2003/04/01に作成または最終更新されたコンテンツは、各々のファイルパスをalbum002.lstへ書き出すというように、各日時のコンテンツ用に作成したアルバム用制御リストに、各日時のコンテンツのファイルパスを書き出し、追加する。
【００５１】
なお、この例では日を元に分類してアルバム用制御リストを作成したが、日に限らず、月、年、時等、時間的な区切りを持つことができる単位であればそれで分類して構わない。
【００５２】
図１８及び図１９は、コンテンツを特徴付ける要素としてコンテンツを撮影した装置のメーカあるいは装置名を用い、制御リストを自動作成した際のフォルダ構成およびアルバム構成である。 
ステップＳ１５ａにて、例えばＡ社のＹという装置によって撮影されたコンテンツ用として、￥Album￥album001.lstを新規作成し、Ｂ社のＺという装置によって撮影されたコンテンツ用として、￥Album￥album002.lstを新規作成する。 ステップＳ１６ａにて、Ａ社のＹによって撮影されたコンテンツは、各々のファイルパスをalbum001.lstへ書き出し、Ｂ社のＺによって撮影されたコンテンツは、各々のファイルパスをalbum002.lstへ書き出し、追加する。
【００５３】
なお、この例では装置名で分類してアルバム用制御リストを作成したが、メーカ名や、装置のファームウェアバージョンによって分類しても構わない。
【００５４】
図２０及び図２１は、コンテンツを特徴付ける要素としてファイルフォーマットを用い、制御リストを自動作成した際のフォルダ構成およびアルバム構成である。 
ステップＳ１５ａ にて、例えばJPEG形式で記録されたコンテンツ用として、￥Album￥album001.lstを新規作成し、MPEG2形式で記録されたコンテンツ用として、￥Album￥album002.lstを新規作成する。同様にQuickTimeMotionJPEG形式で記録されたコンテンツ用や、他のファイルフォーマットで記録されたコンテンツ用に、アルバム用制御ファイルを作成する。 ステップＳ１６ａにて、JPEG形式で記録されたコンテンツは、各々のファイルパスをalbum001.lstへ書き出し、MPEG2形式で記録されたコンテンツは、各々のファイルパスをalbum002.lstへ書き出すというように、各ファイルフォーマットのコンテンツ用に作成したアルバム用制御リストに、各ファイルフォーマットのコンテンツのファイルパスを書き出し、追加する。
【００５５】
図２２及び図２３は、コンテンツを特徴付ける要素としてコンテンツの撮影や編集時の品質を用い、制御リストを自動作成した際のフォルダ構成およびアルバム構成である。 
ステップＳ１５ａにて、例えば品質「高」で作成または編集されたコンテンツ用として、￥Album￥album001.lstを新規作成し、品質「通常」で作成または編集されたコンテンツ用として、￥Album￥album002.lstを新規作成し、同様に品質「低」のコンデンツ用や、他の品質あるいは品質の定義がないコンテンツ用に、アルバム用制御リストを作成する。 ステップＳ１６ａにて、品質「高」で作成または編集されたコンテンツは、各々のファイルパスをalbum001.lstへ書き出し、品質「通常」で作成または編集されたコンテンツは、各々のファイルパスをalbum002.lstへ書き出すというように、各品質のコンテンツ用に作成したアルバム用制御リストに、各品質のコンテンツのファイルパスを書き出し、追加する。
【００５６】
図２４及び図２５は、コンテンツを特徴付ける要素としてコンテンツの撮影モードを用い、制御リストを自動作成した際のフォルダ構成およびアルバム構成である。 
ステップＳ１５ａにて、例えば単写として撮影されたコンテンツ用として、￥Album￥album001.lstを新規作成し、連写として撮影されたコンテンツ用として、￥Album￥album002.lstを新規作成し、同様にパノラマのコンテンツ用や、他の撮影モードあるいは撮影モードの定義がないコンテンツ用に、アルバム用制御リストを作成する。ステップＳ１６ａにて、単写として撮影されたコンテンツは、各々のファイルパスをalbum001.lstへ書き出し、連写として撮影されたコンテンツは、各々のファイルパスをalbum002.lstへ書き出すというように、各撮影モードのコンテンツ用に作成したアルバム用制御リストに、各撮影モードのコンテンツのファイルパスを書き出し、追加する。
【００５７】
図２６は、図３で示したフォルダ構成から、背景をハッチングしているアルバム用制御リストalbum001.lst、album002.lstが消失してしまった状態を示すフォルダ構成である。そのアルバム構成が図２７である。￥DCIM￥100OLYMP内の、P1010001.jpg、P1010002.jjpg、P10 10003.tif、P1010004.mov、￥DCIM￥101OLYMP￥P1010002.jpg、￥××旅行￥山頂.jpg、以上の６つのコンテンツは、album001.lst、およびalbum002.lst、から参照されていたため、album001.lst,album002.lstの消失によりそれらのコンテンツはどこからも参照されていない。そのためそれらのコンテンツの再生はできない状態となっている。
【００５８】
図２６、図２７の例では、図６、図９のステップＳ９まで終了後、ステップＳ１０にてDCIMフォルダや××旅行フォルダ以下にある各コンテンツが見つかる。ステップＳ１１での判断の結果、￥DCIM￥100OLYMP内の、P1010001.jpg、P1010002.jpg、P 10 10003.tif、P1010004.mov、￥××旅行￥山頂.jpg、￥DCIM￥101OLYMP￥P1010002.jpgの６つについては、参照元が存在しないことになる。
【００５９】
フォルダAlbumは既に存在するので、ステップＳ１３の結果、ステップＳ１５にて他の制御リストと異なるファイル名の、新たなアルバム用制御リストを作成する。この例においては、album001.lst、album002.lstが消失しているので、例えば￥Album￥album001.lstを新規作成する。なおアルバム用制御リストのファイル名は別のものでも構わない。
【００６０】
次に、ステップＳ１６にて、album001.lstへ、それら６つのコンテンツのファイルパスを書き込む。さらにステップＳ１７にて、ステップＳ１５で作成したアルバム用制御リストのファイルパスである￥Album￥album001.lstを、マスタ制御リストalbum.lstへ書き出す。これにより、参照元がなかったコンテンツが、マスタ制御リストから辿ることができるようになり、ＤＳＣ２内のコンテンツを再生することができるようになる。
【００６１】
図２８及び図２９はそのようにしてアルバム用制御リストを作成した結果のフォルダおよびアルバム構造である。なお、図２８は、参照元が見つからなかったコンテンツを、全て一つのアルバム用制御リスト内に記述している。しかし、図５からの制御リスト作成の場合と同様に、コンテンツを特徴付ける要素によって、それぞれアルバム用制御リストを作成することも可能である。
【００６２】
図３０及び図３１は、コンテンツを特徴付ける要素としてファイルフォーマットを用い、参照元が存在しないコンテンツ用に制御リストを自動作成した際のフォルダ構成およびアルバム構成である。 
図３０、図３１の例では、参照元が存在していないコンテンツのファイルフォーマットは、JPEG形式、QuickTimeMotionJPEG形式、TIFF形式の３種類になる。図１０のフローに従って、 ステップＳ１５ａにて、３種類のファイル形式それぞれで記録されたコンテンツ用として、￥Album内に、JPEG形式用としてalbum001.lstを、QuickTime MotionJPEG 形式用としてalbum002.lstを、TIFF形式用としてalbum004.lstを新規作成する。なお、アルバム用制御リストのファイル名は、存在している制御リストと重複しない。 ステップＳ１６ａにて、JPEG形式で記録されたコンテンツは各々のファイルパスをalbum001.lstへ書き出すというように、各ファイルフォーマットのコンテンツ用に作成したアルバム用制御リストに、各ファイルフォーマットのコンテンツのファイルパスを書き出し、追加する。
【００６３】
なおalbum003.lstは元々存在しているため、アルバム構造上album003.lst以下にあるアルバム用制御リスト・コンテンツについては何ら変更はされない。
【００６４】
これまで、ステップＳ６、Ｓ１２でのアルバム作成中表示は、図５に示すように文字（アルバム作成中表示１００）を基本とした表示で説明してきたが、図３２のようにアルバム作成中を示すアイコンを表示させてもよいし、あるいは図３３→図３４→図３５→図３３→…のように、液晶表示部４内のアイコンでの表示を順次切り替えることでアルバム作成中を示してもよい。
【００６５】
以上はデータ記録再生装置として、図３６のようにデジタルカメラ単体での状態を想定したものであるが、図３７のようにデジタルカメラから外部の記録再生装置に対して、外部Ｉ／Ｆ２６を経由して通常のファイル操作として制御リストの作成を行うことも可能である。また、図３８のように、外部の記録再生装置に対して制御リストの作成を行うことができるのは、デジタルカメラに限らず記録再生装置であれば構わない。
【００６６】
以上、本実施例の作用を要約すると、
作用１：
（１）制御リストを用いてコンテンツを再生するシステム以外から記録媒体を持ってきた場合
（２）制御リストを用いてコンテンツを再生するシステム以外からコンテンツデータをコピーした場合
（３）ユーザの誤操作や記録媒体の劣化・外部環境の影響などで、制御リストが削除されたり読むことができなくなった場合
（４）ユーザの意思により制御リストの参照・被参照構造を初期化した場合
これらの場合に、個々のコンテンツの所在を装置内で取得し、それぞれのコンテンツの所在を列挙したものを未定義、（アルバム名や表紙などがない、またはデフォルトのものが適用された）のアルバム用の制御リストとして自動作成する。アルバム用の制御リストの所在を装置内で取得し、アルバム用制御リストの所在を記述したものをマスタの制御リストとして自動作成する。
【００６７】
作用２：
作用１でアルバム用の制御リストを自動作成する場合、コンテンツが格納されているフォルダ単位でアルバム用の制御リストを自動作成する。
【００６８】
作用３：
作用１でアルバム用の制御リストを自動作成する場合、コンテンツが作成・更新された日時単位でアルバム用の制御リストを自動作成する。
【００６９】
作用４：
作用１でアルバム用の制御リストを自動作成する場合、コンテンツを撮影したメーカ・機種単位でアルバム用の制御リストを自動作成する。
【００７０】
作用５：
作用１でアルバム用の制御リストを自動作成する場合、コンテンツのファイルフォーマット単位でアルバム用の制御リストを自動作成する。
【００７１】
作用６：
作用１でアルバム用の制御リストを自動作成する場合、コンテンツの品質単位で制御リストを作成する。
【００７２】
作用７：
作用１でアルバム用の制御リストを自動生成する場合、コンテンツの撮影方法（デジタルカメラにおいては、パノラマ、連写、単写など）単位で制御リストを作成する。
【００７３】
また、上記作用１ないし作用７に関しての本実施例の効果を要約すると、
作用１については、マスタ制御リスト、およびアルバム制御リストが自動で作成でき、作成したアルバムの制御リストを通してコンテンツの表示ができるようになる。
【００７４】
作用２については、ユーザがコンテンツをフォルダごとに分類していることがありうるので、自動作成後のアルバムがユーザの意図するものと近くなり、ユーザの満足行く形でアルバム閲覧ができるとともに、最終的にユーザがアルバムを整理する際の負担が軽くなる。
【００７５】
作用３については、作成・更新された日時が近いコンテンツ同士は、例えばそれらがある旅行中に行った撮影であるといったように、一つのイベントについての内容であることがありうるので、自動作成したアルバムについて、イベントごとに閲覧でき、整理が容易になる。
【００７６】
作用４については、作用１でアルバム用の制御リストを自動作成する場合、コンテンツを撮影したメーカ・機種単位でアルバム用の制御リストを自動作成する。記録媒体内のコンテンツが複数のメーカ・機種により作成されている場合は、作成元が同じであれば、同じ時期や同じ目的のコンテンツでありうるので、作成後のアルバム閲覧、整理が容易になる（例えば、ある機種で撮影したコンテンツは全て高画素、高倍率ズームを理由としている、別のある機種で撮影したコンテンツは全て旅行やアウトドア用のためコンパクト機種であることを理由としている、ある時期に買い換えたために別のある機種のものはそのある時期以前のものになる）。
【００７７】
作用５については、再生側ではファイルの種類により再生エンジンが異なるため、同じアルバムを再生している間は別のファイル形式用の再生エンジンを変更する必要がなく、処理を軽くできる。
【００７８】
作用６については、重要なコンテンツほど高品質で記録していることがありうるので、品質を基準とすることでアルバムごとの重要度がわかり、作成後のアルバム閲覧、整理が容易になる。
【００７９】
作用７については、パノラマ、あるいは連写は、それぞれで一つのアルバムになっていると、スライドショー形式でアルバム閲覧する場合に一連の画像が連続して再生され、ユーザが撮影した意図に沿った形でアルバムの閲覧が可能になる。
【００８０】
本発明は、上述した実施例に限定されるものではなく、本発明の要旨を変えない範囲において、種々の変更、改変等が可能である。
【図面の簡単な説明】
【００８１】
【図１】本発明の実施例１に係るＤＳＣの背面構成を示す外観図
【図２】ＤＳＣの構成を示すブロック図
【図３】画像・音声・動画等のコンテンツ及び制御リストファイルからなるフォルダ構成を示す図
【図４】マスタの制御リストとアルバム用制御リストの関係を示す図
【図５】制御リストが存在しないフォルダ構成を示す図
【図６】アルバムの作成手順の第１手順を示すフローチャート
【図７】アルバムの作成中に液晶表示部に表示される表示例を示す図
【図８】アルバムの作成手順の第１手順の変形例を示すフローチャート
【図９】アルバムの作成手順の第２手順を示すフローチャート
【図１０】アルバムの作成手順の第２手順の変形例を示すフローチャート
【図１１】図６、図９の処理の結果作成されたフォルダ構成を示す図
【図１２】図６、図９の処理の結果作成されたアルバム構成を示す図
【図１３】フォルダ構成内のコンテンツについての格納フォルダ、作成・更新日、作成メーカー機種、ファイルフォーマット、品質、モードといった各要素を示す図
【図１４】各コンテンツの一つ上の階層のフォルダで分類して制御リストを自動作成した際のフォルダ構成を示す図
【図１５】各コンテンツの一つ上の階層のフォルダで分類して制御リストを自動作成した際のアルバム構成を示す図
【図１６】コンテンツ作成およびコンテンツ最終更新日時を用い制御リストを自動作成した際のフォルダ構成を示す図
【図１７】コンテンツ作成およびコンテンツ最終更新日時を用い制御リストを自動作成した際のアルバム構成を示す図
【図１８】コンテンツを撮影した装置のメーカあるいは装置名を用い制御リストを自動作成した際のフォルダ構成を示す図
【図１９】コンテンツを撮影した装置のメーカあるいは装置名を用い制御リストを自動作成した際のアルバム構成を示す図
【図２０】ファイルフォーマットを用い制御リストを自動作成した際のフォルダ構成を示す図
【図２１】ファイルフォーマットを用い制御リストを自動作成した際のアルバム構成を示す図
【図２２】コンテンツの撮影や編集時の品質を用い制御リストを自動作成した際のフォルダ構成を示す図
【図２３】コンテンツの撮影や編集時の品質を用い制御リストを自動作成した際のアルバム構成を示す図
【図２４】コンテンツの撮影モードを用い制御リストを自動作成した際のフォルダ構成を示す図
【図２５】コンテンツの撮影モードを用い制御リストを自動作成した際のアルバム構成を示す図
【図２６】図３で示したフォルダ構成からアルバム用制御リストが消失してしまった状態を示すフォルダ構成を示す図
【図２７】図３で示したフォルダ構成からアルバム用制御リストが消失してしまった状態を示すアルバム構成を示す図
【図２８】消失したアルバム用制御リストを作成した結果のフォルダ構成を示す図
【図２９】消失したアルバム用制御リストを作成した結果のアルバム構造を示す図
【図３０】ファイルフォーマットを用い参照元が存在しないコンテンツ用に制御リストを自動作成した際のフォルダ構成を示す図
【図３１】ファイルフォーマットを用い参照元が存在しないコンテンツ用に制御リストを自動作成した際のアルバム構成を示す図
【図３２】アルバムの作成中に液晶表示部に表示される表示例の第１の変形例を示す図
【図３３】アルバムの作成中に液晶表示部に表示される表示例の第２の変形例を示す第１の図
【図３４】アルバムの作成中に液晶表示部に表示される表示例の第２の変形例を示す第２の図
【図３５】アルバムの作成中に液晶表示部に表示される表示例の第２の変形例を示す第３の図
【図３６】データ記録再生装置としてのＤＳＣ単体構成を示す図
【図３７】データ記録再生装置の第１の変形例構成を示す図
【図３８】データ記録再生装置の第２の変形例構成を示す図
【符号の説明】
【００８２】
２…ＤＳＣ
４…液晶表示部
５…ファインダ
６…パワーＬＥＤ
９…選択／決定ボタン
１０…シャッタ
１１…モード選択ダイヤル
１９…圧縮伸長エンジン
２０…撮像装置
２１…ＣＰＵ
２２…ＲＯＭ
２３…ＲＡＭ
２４…画像記憶部
２５…ファイル管理部
２６…外部Ｉ／Ｆ
代理人    弁理士    伊藤  進
【図１】
2005286418.tif 000003
【図２】
2005286418.tif 000004
【図３】
2005286418.tif 000005
【図４】
2005286418.tif 000006
【図５】
2005286418.tif 000007
【図６】
2005286418.tif 000008
【図７】
2005286418.tif 000009
【図８】
2005286418.tif 000010
【図９】
2005286418.tif 000011
【図１０】
2005286418.tif 000012
【図１１】
2005286418.tif 000013
【図１２】
2005286418.tif 000014
【図１３】
2005286418.tif 000015
【図１４】
2005286418.tif 000016
【図１５】
2005286418.tif 000017
【図１６】
2005286418.tif 000018
【図１７】
2005286418.tif 000019
【図１８】
2005286418.tif 000020
【図１９】
2005286418.tif 000021
【図２０】
2005286418.tif 000022
【図２１】
2005286418.tif 000023
【図２２】
2005286418.tif 000024
【図２３】
2005286418.tif 000025
【図２４】
2005286418.tif 000026
【図２５】
2005286418.tif 000027
【図２６】
2005286418.tif 000028
【図２７】
2005286418.tif 000029
【図２８】
2005286418.tif 000030
【図２９】
2005286418.tif 000031
【図３０】
2005286418.tif 000032
【図３１】
2005286418.tif 000033
【図３２】
2005286418.tif 000034
【図３３】
2005286418.tif 000035
【図３４】
2005286418.tif 000036
【図３５】
2005286418.tif 000037
【図３６】
2005286418.tif 000038
【図３７】
2005286418.tif 000039
【図３８】
2005286418.tif 000040